(57)【要約】  【課題】単一の自動販売機で、複数種の電子情報を使用できようにする。  【解決手段】自動販売機の商品を購入可能なデータが記録された電子情報手段７があり、購入する商品を選択する商品選択手段４と、電子情報手段７とのデータの読み書きを行う読み書き手段８と、利用者が使用する電子情報手段の種類を選択する電子情報選択手段９を備え、単一の自動販売機の構成において、利用者が、商品を購入する際に、使用したい電子情報を選択することができ、電子情報への精算が行えるため、商品の販売促進が期待できる。【選択図】図１
2007102317.tif 000002
【特許請求の範囲】
【請求項１】
自動販売機の商品を電子情報手段を使って購入する自動販売機で、前記電子情報手段には商品を購入可能にするための必要なデータが記憶されており、利用者が購入する商品を選択する商品選択手段と、前記電子情報手段とのデータの読み書きを行う読み書き手段と、利用者が使用する前記電子情報手段の種類を選択する電子情報選択手段とを自動販売機に備えたことを特徴とする自動販売機。
【請求項２】
商品販売操作は、購入する商品を選択する商品選択手段による商品選択、電子情報選択手段による電子情報の選択、読み書き手段に電子情報手段をかざす順で商品を購入できることを特徴とする請求項１に記載の自動販売機。
【請求項３】
商品販売操作は、電子情報選択手段による電子情報選択、購入する商品を選択する商品選択手段、読み書き手段に電子情報手段をかざす順で商品を購入できることを特徴とする請求項１または２に記載の自動販売機。
【請求項４】
現金を入金するための入金手段による入金、電子情報選択手段による電子情報選択、読み書き手段に電子情報手段をかざす順で、現金を電子情報手段に入金できることを特徴とする請求項１から３のいずれか一項に記載の自動販売機。
【請求項５】
電子情報選択手段による電子情報選択、現金を入金するための入金手段による入金、読み書き手段に電子情報手段をかざす順で、現金を電子情報手段に入金できることを特徴とする請求項１から４のいずれか一項に記載の自動販売機。
【発明の詳細な説明】
【技術分野】
【０００１】
本発明は、自動販売機における制御装置に関するものである。
【背景技術】
【０００２】
従来の自動販売機における制御装置には、携帯情報端末装置などの電子情報を自動販売機に設けた携帯情報端末識別手段に送信し、自動販売機に設けた釣銭情報送信手段により携帯端末装置に送信することで、自動販売機の商品を購入の際の精算を行う制御装置について開示したものがある（例えば、特許文献１参照）。
【特許文献１】特開２００２−９２７０１号公報
【発明の開示】
【発明が解決しようとする課題】
【０００３】
しかしながら、前記従来の構成では、自動販売機で使用する電子情報は一つである。
【０００４】
近年では、ＩＣカード、携帯電話などの普及により、電子マネーなどの電子情報の種類は複数種あり、従来の方式では、利用者は、手元に持っている電子マネーの種類が自動販売機側で認識しないものであれば、商品を購入できず、自動販売機の商品の販売促進につながらないという課題を有していた。
【０００５】
本発明は、前記従来の課題を解決するもので、単一の自動販売機で、複数種の電子情報を使用できようにするものであり、自動販売機での商品の販売を促進することを目的としている。
【課題を解決するための手段】
【０００６】
前記従来の課題を解決するために、本発明の自動販売機の制御装置は、利用者が商品購入の際、使用したい電子情報を選択できるものである。
【発明の効果】
【０００７】
本発明の自動販売機は、単一の自動販売機で、複数種の電子情報を使用できるため、利用者は、使用したい電子情報をその場で選択でき、手持ちの電子情報（電子マネーなど）を使用できる自動販売機をわざわざ探す必要もなく、商品を購入することができ、自動販売機における販促向上につながる。
【発明を実施するための最良の形態】
【０００８】
請求項１に記載の発明は、自動販売機の商品を電子情報手段を使って購入する自動販売機で、前記電子情報手段には商品を購入可能にするための必要なデータが記憶されており、利用者が購入する商品を選択する商品選択手段と、前記電子情報手段とのデータの読み書きを行う読み書き手段と、利用者が使用する前記電子情報手段の種類を選択する電子情報選択手段とを備え、単一の自動販売機の構成において、利用者が、商品を購入する際に、使用する電子情報を選択することができ、電子情報への精算を行い、商品を販売することができる。
【０００９】
請求項２に記載の発明は、商品販売操作は、購入する商品を選択する商品選択手段による商品の選択、電子情報選択手段による電子情報の選択、読み書き手段に電子情報手段をかざす、の順とするため、利用者が、金銭情報を自動販売機に与えるより先に、商品選択することができ、精算したい電子情報手段の種類を精算前に選択するため、使用したい電子情報手段の種類の選びなおしができる。
【００１０】
請求項３に記載の発明は、商品販売操作は、電子情報選択手段による電子情報選択、購入する商品を選択する商品選択手段、読み書き手段に電子情報手段をかざす、の順とするため、最初に、精算したい電子情報手段の種類を精算前に選択した上、利用者が、金銭情報を自動販売機に与えるより先に、商品選択することができるため、商品の選びなおしができる。
【００１１】
請求項４に記載の発明は、現金を入金するための入金手段による入金、電子情報選択手段による電子情報選択、読み書き手段に電子情報手段をかざす、の順とするため、電子情報手段７への入金者が、入金したい電子情報手段７の種類を精算前に選択するため、電子情報手段の種類の再選択ができる。
【００１２】
請求項５に記載の発明は、電子情報選択手段による電子情報選択、現金を入金するための入金手段による入金、読み書き手段に電子情報手段をかざす、の順とするため、電子情報手段７への入金者が、入金したい電子情報手段７の種類を現金投入前に行うため、電子情報手段７の種類を選んだ後でも、入金したい金額を追加できる。
【００１３】
（実施の形態１）
図１は、本発明の実施の形態１における自動販売機の全体構成図である。
【００１４】
図２は、同実施の形態における自動販売機の制御装置の機能ブロック図である。
【００１５】
図３，図４，図５，図６，図７は、同実施の形態における自動販売機の制御装置の動作を示すフローチャートである。
【００１６】
図１において、筐体１は自動販売機本体であり、前部には、ドア２が設けられている。
【００１７】
ドア２には、販売する商品のサンプルを外部に示すディスプレイ手段３、販売時に利用者が商品を選択する商品選択手段４、商品を購入する際に現金を入れる金銭取入手段５、販売する商品を取り出す取りだし口６、利用者が使用する電子情報手段７（電子マネー等）の情報を読み書きする読み書き手段８、利用者が電子情報手段７の種類を選択する電子情報選択手段９が設けられている。
【００１８】
電子情報手段７は、ＩＣカードや携帯電話の記憶媒体に書き込まれた電子マネーや個人を特定できる情報（例えばクレジットカード）などであり、本報では、自動販売機の商品を購入するなどの用途に利用できる電子情報である。
【００１９】
読み書き手段８は、電子情報手段７を近傍に近づけたりするだけで、電子情報手段７と情報の送受信をできるものであり、電子情報手段７の内容を読み書きできる。
【００２０】
本来、電子情報手段７は、複数の規格があり、電子情報手段７側の規格と読み書き手段９側の規格が同一でなければ、情報の送受信ができないものである。
【００２１】
また、電子情報手段７には、規格は同じでも、セキュリティなどのため、送受信できないものもあり、例えば、ハードウエアの規格は同じものを適用しているが、記憶媒体に記憶する際のファイルフォーマットや、不正な利用などを防止するために、暗号仕様やセキュリティ仕様などのソフトウエアの規格が異なるようになっており、電子情報手段７は複数の種類として分類される。
【００２２】
電子情報選択手段９は、電子情手段７に書き込まれた電子情報の選択を行うもので、自動販売機で利用できる電子情報を複数種設けておき、利用者が、電子情報手段７を使用する場合に、その場で、使いたい電子情報の種類を選択できるものである。
【００２３】
本実施の形態における電子情報手段７の「種類」は、企業などが提供しているサービスの名前などを利用すれば利用者にとってわかりやすい。
【００２４】
例えば、電子情報手段７は、国際標準規格ＩＳＯ１４４４３における非接触型ＩＣカードに準拠したものを想定すると、ＴｙｐｅＡ、ＴｙｐｅＢ、ＴｙｐｅＣの３つに分類されている。
【００２５】
例えば、今、自動販売機で利用できるＴｙｐｅＡの非接触型ＩＣカードが、３つあるとする。
【００２６】
３つのカードは互いに、ＴｙｐｅＡという規格に準拠しているが、前述したようにセキュリティなどの関係で、互いに、種類が異なるものとすると、読み書き手段８の設定を変えないと個々のカードに対して読み書きできない。
【００２７】
読み書き手段８の設定を変更するために、情報選択手段９に３つのカードの種類を設定しておき、カードの種類を選択すれば、読み書き手段８の設定も変わるものとする。
【００２８】
本実施の形態では、電子情報選択手段９は、自動販売機のドア２に、複数個のボタンを設けることとし、各ボタンには、自動販売機で利用できる電子情報手段７の種類を設定しておくものとして説明するが、利用者が、自動販売機を操作することにより、電子情報手段７を選択できるものであれば、何でも良い。
【００２９】
現在では、自動販売機で利用できる電子情報手段７は、まだ、少数で限られているが、将来、より多くの電子情報が登場した場合には、電子情報選択手段９は、タッチパネルなどの画面遷移が可能なデバイスなどを利用して、まず、使いたい電子情報の規格を選択し、規格を選択すれば、選択した規格の中で、事前に登録してある同一規格の中の種類を選択するようにすればよいし、あらかじめ電子情報のサービス名などを順次表示するように設定しておき、使用者が自身で選択できるようにしてもよく、電子情報選択手段９は、使用者が使用したい電子情報を選択できるものであれば形態は問わない。
【００３０】
図２において、演算部１０は、図１に示した、商品選択手段４、読み書き手段８、電子情報選択手段９などと信号のやり取りを行い自動販売機の制御を行うものである。
【００３１】
以上のように構成された自動販売機の制御装置について、以下、図３を用いて動作を説明する。
【００３２】
電子情報選択手段４に対し、ボタン操作が行われたかどうかを確認する（ＳＴＥＰ１）。
【００３３】
ボタン操作が無ければ、再度、ボタン操作確認を行い、ボタン操作があれば、操作されたボタンを判定（番号）し、ボタンに割り当てた電子情報手段７の種類などを確定する（ＳＴＥＰ２）。
【００３４】
電子情報手段７が確定した後、読み書き手段８へ、確定した電子情報に関する通信規定を信号伝送する（ＳＴＥＰ３）。
【００３５】
伝送された信号に基づき、読み書き手段８は、選択された通信規定に設定され、選択された電子情報手段７とデータの送受信ができるようになる。
【００３６】
電子情報手段７がかざされたかどうか確認する（ＳＴＥＰ４）。
【００３７】
電子情報手段７がかざされた場合は、読み書き手段８が電子情報手段７と通信を行い、電子情報手段７の情報を取得し、演算制御部１０へ一旦データ格納する（ＳＴＥＰ５）。
【００３８】
次に、商品選択手段４に対し、利用者がボタン操作したかどうか確認する（ＳＴＥＰ６）。
【００３９】
なお、ＳＴＥＰ６のボタン操作があるまでは、電子情報選択手段４に対するボタン操作は、受け付けられ、ＳＴＥＰ６の商品選択手段４に対するボタン操作がされたときの最新の電子情報選択手段７のボタン番号を電子情報選択手段７の規格と種類として設定される。
【００４０】
ボタン操作があれば、操作されたボタンを判定（番号）し、ボタンに割り当てた商品を確定し、商品に関する情報（価格など）を確定する（ＳＴＥＰ７）。
【００４１】
次に、再度、電子情報手段７が読み書き手段８にかざされたかどうか確認する（ＳＴＥＰ８）。
【００４２】
かざされた場合は、読み書き手段８は、電子情報手段７に精算情報を書き込む（ＳＴＥＰ９）。
【００４３】
なお、ＳＴＥＰ８の電子情報手段７が読み書き手段８にかざされるまでは、ＳＴＥＰ６の商品選択手段４に対するボタン操作は、受け付けられ、ＳＴＥＰ８の電子情報手段７が読み書き手段８にかざされたときの、最新の商品選択手段４の商品が精算対象商品として設定される。
【００４４】
正常に精算情報の書き込みが終了すれば、商品搬出手段１１へ利用者の選択した商品を搬出するよう指令を送る（ＳＴＥＰ１０）。
【００４５】
以上のように本実施の形態の自動販売機の制御装置によれば、利用者が、商品を購入する際に、使用する電子情報を選択することができ、電子情報への精算が行えるため、商品を販売することができる。
【００４６】
また、動作を図４の手順としてもよい。以下、図４を用いて動作を説明する。
【００４７】
商品選択手段４に対し、利用者がボタン操作したかどうか確認する（ＳＴＥＰ２１）。
【００４８】
ボタン操作があれば、操作されたボタンを判定（番号）し、ボタンに割り当てた商品を確定し、商品に関する情報（価格など）を確定する（ＳＴＥＰ２２）。
【００４９】
次に、電子情報選択手段４に対し、ボタン操作が行われたかどうかを確認する（ＳＴＥＰ２３）。
【００５０】
ボタン操作が無ければ、再度、ボタン操作確認を行い、ボタン操作があれば、操作されたボタンを判定（番号）し、ボタンに割り当てた電子情報手段７の規格と種類などを確定する（ＳＴＥＰ２４）。
【００５１】
電子情報手段７が確定した後、読み書き手段８へ、確定した電子情報に関する情報を信号伝送する（ＳＴＥＰ２５）。
【００５２】
伝送された信号に基づき、読み書き手段８は、選択された規格と種類に設定され、選択された規格と種類の電子情報手段７とデータの送受信ができるようになる。
【００５３】
次に、電子情報手段７がかざされたかどうか確認する（ＳＴＥＰ２６）。
【００５４】
なお、ＳＴＥＰ２６の電子情報手段７がかざされるまでは、電子情報選択手段４に対するボタン操作は、受け付けられ、ＳＴＥＰ２６の電子情報手段７がかざされたときの、最新の電子情報選択手段７のボタン番号を電子情報選択手段７の規格と種類として設定される。
【００５５】
電子情報手段７がかざされた場合は、読み書き手段８が電子情報手段７と通信を行い、電子情報手段７の情報を取得し、演算制御部１０へデータ格納する（ＳＴＥＰ２７）。
【００５６】
ＳＴＥＰ２２において、利用者の購入商品は、確定しているため、商品情報と残金情報を演算し、読み書き手段８は、電子情報手段７に精算情報を書き込む（ＳＴＥＰ２８）。
【００５７】
正常に精算情報の書き込みが終了すれば、商品搬出手段１１へ利用者の選択した商品を搬出するよう指令を送る（ＳＴＥＰ２９）。
【００５８】
以上のように本実施の形態の自動販売機の制御装置によれば、利用者が、金銭情報を自動販売機に与えるより先に、商品選択することができ、精算したい電子情報手段の規格と種類を精算前に選択するため、電子情報手段７の規格と種類の再選択ができる。
【００５９】
また、動作を図５の手順としてもよい。以下、図５を用いて動作を説明する。
【００６０】
次に、電子情報選択手段４に対し、ボタン操作が行われたかどうかを確認する（ＳＴＥＰ４１）。
【００６１】
ボタン操作が無ければ、再度、ボタン操作確認を行い、ボタン操作があれば、操作されたボタンを判定（番号）し、ボタンに割り当てた電子情報手段７の規格と種類を確定する（ＳＴＥＰ４２）。
【００６２】
電子情報手段７の規格を選択した後、読み書き手段８へ、信号伝送する（ＳＴＥＰ４３）。
【００６３】
伝送された信号に基づき、読み書き手段８は、選択された規格に設定され、選択された種類の電子情報手段７とデータの送受信ができるようになる。
【００６４】
次に、商品選択手段４に対し、利用者がボタン操作したかどうか確認する（ＳＴＥＰ４４）。
【００６５】
ボタン操作があれば、操作されたボタンを判定（番号）し、ボタンに割り当てた商品を確定し、商品に関する情報（価格など）を確定する（ＳＴＥＰ４５）。
【００６６】
次に、電子情報手段７がかざされたかどうか確認する（ＳＴＥＰ４６）。
【００６７】
なお、ＳＴＥＰ４６の電子情報手段７が読み書き手段８にかざされるまでは、商品選択手段４に対するボタン操作は、受け付けられ、ＳＴＥＰ４６の電子情報手段７が読み書き手段８にかざされたときの、最新の商品選択手段４の商品が精算対象商品として設定される。
【００６８】
電子情報手段７がかざされた場合は、読み書き手段８が電子情報手段７と通信を行い、電子情報手段７の情報を取得し、演算制御部１０へデータ格納する（ＳＴＥＰ４７）。
【００６９】
ＳＴＥＰ４５において、利用者の購入商品は、確定しているため、商品情報と残金情報を演算し、読み書き手段８は、電子情報手段７に精算情報を書き込む（ＳＴＥＰ４８）。
【００７０】
正常に精算情報の書き込みが終了すれば、商品搬出手段１１へ利用者の選択した商品を搬出するよう指令を送る（ＳＴＥＰ４９）。
【００７１】
以上のように本実施の形態の自動販売機の制御装置によれば、最初に、精算したい電子情報手段の種類を精算前に選択した上、利用者が、金銭情報を自動販売機に与えるより先に、商品選択するでき、精算したい電子情報手段の種類を商品選択前に選択するため、商品の再選択ができる。
【００７２】
また、本実施の形態では、自動販売機に投入した金銭を、電子情報手段７へ入金できる。
【００７３】
図６を用いて説明する。
【００７４】
まず、金銭取入手段５に現金が投入されたかどうか確認する（ＳＴＥＰ６１）。
【００７５】
金銭取入手段５に現金が投入された場合、演算制御部１０にて、投入された金額を記憶する（ＳＴＥＰ６２）。
【００７６】
次に、電子情報選択手段４に対し、ボタン操作が行われたかどうかを確認する（ＳＴＥＰ６３）。
【００７７】
ボタン操作が無ければ、再度、ボタン操作確認を行い、ボタン操作があれば、操作されたボタンを判定（番号）し、ボタンに割り当てた電子情報手段７の規格と種類などを確定する（ＳＴＥＰ６４）。
【００７８】
電子情報手段７が確定した後、確定した電子情報に関する情報を読み書き手段８へ、信号伝送する（ＳＴＥＰ６５）。
【００７９】
伝送された信号に基づき、読み書き手段８は、選択された規格と種類に設定され、選択された種類の電子情報手段７とデータの送受信ができるようになる。
【００８０】
次に、電子情報手段７がかざされたかどうか確認する（ＳＴＥＰ６７）。
【００８１】
なお、ＳＴＥＰ６６の電子情報手段７がかざされるまでは、電子情報選択手段４に対するボタン操作は、受け付けられ、ＳＴＥＰ６６の電子情報手段７がかざされたときの、最新の電子情報選択手段７のボタン番号を電子情報選択手段７の規格と種類として設定される。
【００８２】
電子情報手段７がかざされた場合は、読み書き手段８が電子情報手段７と通信を行い、電子情報手段７の情報を取得し、演算制御部１０へデータ格納する（ＳＴＥＰ６７）。
【００８３】
ＳＴＥＰ６２において、投入した現金金額が確定しており、現金の投入金額と電子情報手段７の残金を演算し、読み書き手段８は、電子情報手段７に精算情報（入金処理）を書き込む（ＳＴＥＰ６８）。
【００８４】
以上のように本実施の形態の自動販売機の制御装置によれば、電子情報手段７への入金者が、入金したい電子情報手段７の種類を精算前に選択するため、電子情報手段７の規格と種類の再選択ができる。
【００８５】
また、動作を図７の手順としてもよい。以下、図７を用いて動作を説明する。
【００８６】
次に、電子情報選択手段４に対し、ボタン操作が行われたかどうかを確認する（ＳＴＥＰ８１）。
【００８７】
ボタン操作が無ければ、再度、ボタン操作確認を行い、ボタン操作があれば、操作されたボタンを判定（番号）し、ボタンに割り当てた電子情報手段７の規格と種類などを確定する（ＳＴＥＰ８２）。
【００８８】
電子情報手段７が確定した後、読み書き手段８へ、確定した電子情報に関する情報を信号伝送する（ＳＴＥＰ８３）。
【００８９】
伝送された信号に基づき、読み書き手段８は、選択された規格と種類に設定され、選択された種類の電子情報手段７とデータの送受信ができるようになる。
【００９０】
次に、金銭取入手段５に現金が投入されたかどうか確認する（ＳＴＥＰ８４）。
【００９１】
金銭取入手段５に現金が投入された場合、演算制御部１０にて、投入された金額を記憶する（ＳＴＥＰ８５）。
【００９２】
次に、電子情報手段７がかざされたかどうか確認する（ＳＴＥＰ８６）。
【００９３】
なお、ＳＴＥＰ８６の電子情報手段７が読み書き手段８にかざされるまでは、金銭取入手段５への現金が投入は受け付けられ、ＳＴＥＰ８６の電子情報手段７が読み書き手段８にかざされたときの、最新の現金投入合計が精算対象として記憶される。
【００９４】
電子情報手段７がかざされた場合は、読み書き手段８が電子情報手段７と通信を行い、電子情報手段７の情報を取得し、演算制御部１０へデータ格納する（ＳＴＥＰ８７）。
【００９５】
ＳＴＥＰ８５において、投入した現金金額が確定しており、現金の投入金額と電子情報手段７の残金を演算し、読み書き手段８は、電子情報手段７に精算情報（入金処理）を書き込む（ＳＴＥＰ８８）。
【００９６】
以上のように本実施の形態の自動販売機の制御装置によれば、電子情報手段７への入金者が、入金したい電子情報手段７の種類を現金投入前に行うため、電子情報手段７の規格と種類を選んだ後でも、入金したい金額を追加できる。
【産業上の利用可能性】
【００９７】
本発明の自動販売機によれば、利用者は、使用したい電子情報をその場で選択でき、手持ちの電子情報を使用できる自動販売機をわざわざ探す必要もなく、商品を購入することができるので、自動販売機という形態にかかわらず多様な電子決済機器に応用できる。
【図面の簡単な説明】
【００９８】
【図１】本発明の実施の形態１における自動販売機の全体構成図
【図２】同実施の形態における自動販売機の制御装置の機能ブロック図
【図３】同実施の形態における自動販売機の制御装置の動作を示すフローチャート
【図４】同実施の形態における自動販売機の制御装置の動作を示すフローチャート
【図５】同実施の形態における自動販売機の制御装置の動作を示すフローチャート
【図６】同実施の形態における自動販売機の制御装置の動作を示すフローチャート
【図７】同実施の形態における自動販売機の制御装置の動作を示すフローチャート
【符号の説明】
【００９９】
４    商品選択手段
５    金銭取入手段
７    電子情報手段
８    読み書き手段
９    電子情報選択手段
１０  演算制御部
１１  商品搬出手段
【図１】
2007102317.tif 000003
【図２】
2007102317.tif 000004
【図３】
2007102317.tif 000005
【図４】
2007102317.tif 000006
【図５】
2007102317.tif 000007
【図６】
2007102317.tif 000008
【図７】
2007102317.tif 000009
【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
自動販売機の商品を電子情報手段を使って購入する自動販売機で、前記電子情報手段には商品を購入可能にするための必要なデータが記憶されており、利用者が購入する商品を選択する商品選択手段と、前記電子情報手段とのデータの読み書きを行う読み書き手段と、利用者が使用する電子マネーの種類を選択する電子情報選択手段とを自動販売機に備え、商品販売操作が、前記商品選択手段による商品選択操作の後、前記電子情報選択手段による電子マネー種類の選択操作、前記読み書き手段に前記電子情報手段をかざす順に行った場合は、前記電子情報手段が前記読み書き手段にかざされるまでは、前記電子情報選択手段による前記電子マネー種類の選択操作は複数回可能に受付けられ、前記電子情報手段が前記読み書き手段にかざされた時は、前記電子情報選択手段による最新の選択操作に基づく電子マネーで決済を行うことを特徴とする自動販売機。
【請求項２】
自動販売機の商品を電子情報手段を使って購入する自動販売機で、前記電子情報手段には商品を購入可能にするための必要なデータが記憶されており、利用者が購入する商品を選択する商品選択手段と、前記電子情報手段とのデータの読み書きを行う読み書き手段と、利用者が使用する電子マネーの種類を選択する電子情報選択手段とを自動販売機に備え、商品販売操作が、前記電子情報選択手段による電子マネー種類の選択操作の後、前記商品選択手段による商品選択操作、前記読み書き手段に前記電子情報手段をかざす順に行った場合は、前記電子情報手段が前記読み書き手段にかざされるまでは、前記商品選択手段による商品選択操作は複数回可能に受付けられ、前記電子情報手段が前記読み書き手段にかざされた時は、前記商品選択手段による最新の選択操作に基づく商品を対象として決済を行うことを特徴とする自動販売機。
【請求項３】
現金を入金するための入金手段による入金、電子情報選択手段による電子情報選択、読み書き手段に電子情報手段をかざす順で、現金を電子情報手段に入金できることを特徴とする請求項１または２に記載の自動販売機。
【請求項４】
電子情報選択手段による電子情報選択、現金を入金するための入金手段による入金、読み書き手段に電子情報手段をかざす順で、現金を電子情報手段に入金できることを特徴とする請求項１から３のいずれか一項に記載の自動販売機。
【手続補正２】
【補正対象書類名】明細書
【補正対象項目名】０００６
【補正方法】変更
【補正の内容】
【０００６】
上記従来の課題を解決するために、本発明の自動販売機は、自動販売機の商品を電子情報手段を使って購入する自動販売機で、前記電子情報手段には商品を購入可能にするための必要なデータが記憶されており、利用者が購入する商品を選択する商品選択手段と、前記電子情報手段とのデータの読み書きを行う読み書き手段と、利用者が使用する電子マネーの種類を選択する電子情報選択手段とを自動販売機に備え、商品販売操作が、前記商品選択手段による商品選択操作の後、前記電子情報選択手段による電子マネー種類の選択操作、前記読み書き手段に前記電子情報手段をかざす順に行った場合は、前記電子情報手段が前記読み書き手段にかざされるまでは、前記電子情報選択手段による前記電子マネー種類の選択操作は複数回可能に受付けられ、前記電子情報手段が前記読み書き手段にかざされた時は、前記電子情報選択手段による最新の選択操作に基づく電子マネーで決済を行うので、利用者が商品購入の際、使用したい電子情報を選択できるものである。
また、自動販売機の商品を電子情報手段を使って購入する自動販売機で、前記電子情報手段には商品を購入可能にするための必要なデータが記憶されており、利用者が購入する商品を選択する商品選択手段と、前記電子情報手段とのデータの読み書きを行う読み書き手段と、利用者が使用する電子マネーの種類を選択する電子情報選択手段とを自動販売機に備え、商品販売操作が、前記電子情報選択手段による電子マネー種類の選択操作の後、前記商品選択手段による商品選択操作、前記読み書き手段に前記電子情報手段をかざす順に行った場合は、前記電子情報手段が前記読み書き手段にかざされるまでは、前記商品選択手段による商品選択操作は複数回可能に受付けられ、前記電子情報手段が前記読み書き手段にかざされた時は、前記商品選択手段による最新の選択操作に基づく商品を対象として決済を行うので、利用者が商品購入の際、商品の選びなおしができるものである。
【手続補正３】
【補正対象書類名】明細書
【補正対象項目名】０００７
【補正方法】変更
【補正の内容】
【０００７】
本発明の自動販売機は、利用者が、商品購入操作を商品選択操作から始めて、その後、使用したい電子情報の種類を選択して、読み書き手段にかざして決済する場合、電子情報手段をかざすまでは使用したい電子情報の種類の選びなおしができ、電子情報選択手段の規格と種類の再選択ができる。また、商品購入操作を電子情報選択手段による電子情報の種類の選択操作から始めて、その後、商品選択手段による商品選択操作、読み書き手段にかざして決済する場合、電子情報手段をかざすまでは商品の選びなおしができるものであり、自動販売機における販促向上につながる。
【手続補正４】
【補正対象書類名】明細書
【補正対象項目名】０００８
【補正方法】変更
【補正の内容】
【０００８】
請求項１に記載の発明は、自動販売機の商品を電子情報手段を使って購入する自動販売機で、前記電子情報手段には商品を購入可能にするための必要なデータが記憶されており、利用者が購入する商品を選択する商品選択手段と、前記電子情報手段とのデータの読み書きを行う読み書き手段と、利用者が使用する電子マネーの種類を選択する電子情報選択手段とを自動販売機に備え、商品販売操作が、前記商品選択手段による商品選択操作の後、前記電子情報選択手段による電子マネー種類の選択操作、前記読み書き手段に前記電子情報手段をかざす順に行った場合は、前記電子情報手段が前記読み書き手段にかざされるまでは、前記電子情報選択手段による前記電子マネー種類の選択操作は複数回可能に受付けられ、前記電子情報手段が前記読み書き手段にかざされた時は、前記電子情報選択手段による最新の選択操作に基づく電子マネーで決済を行うことにより、使用したい電子情報の種類の選びなおしができる。
【手続補正５】
【補正対象書類名】明細書
【補正対象項目名】０００９
【補正方法】変更
【補正の内容】
【０００９】
請求項２に記載の発明は、自動販売機の商品を電子情報手段を使って購入する自動販売機で、前記電子情報手段には商品を購入可能にするための必要なデータが記憶されており、利用者が購入する商品を選択する商品選択手段と、前記電子情報手段とのデータの読み書きを行う読み書き手段と、利用者が使用する電子マネーの種類を選択する電子情報選択手段とを自動販売機に備え、商品販売操作が、前記電子情報選択手段による電子マネー種類の選択操作の後、前記商品選択手段による商品選択操作、前記読み書き手段に前記電子情報手段をかざす順に行った場合は、前記電子情報手段が前記読み書き手段にかざされるまでは、前記商品選択手段による商品選択操作は複数回可能に受付けられ、前記電子情報手段が前記読み書き手段にかざされた時は、前記商品選択手段による最新の選択操作に基づく商品を対象として決済を行うことにより、商品の選びなおしができる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
請求項３に記載の発明は、請求項１または２に記載の発明において、現金を入金するための入金手段による入金、電子情報選択手段による電子情報選択、読み書き手段に電子情報手段をかざす、の順とするため、電子情報手段７への入金者が、入金したい電子情報手段７の種類を精算前に選択するため、電子情報手段の種類の再選択ができる。
【手続補正８】
【補正対象書類名】明細書
【補正対象項目名】００１２
【補正方法】変更
【補正の内容】
【００１２】
請求項４に記載の発明は、請求項１から３のいずれか一項に記載の発明において、電子情報選択手段による電子情報選択、現金を入金するための入金手段による入金、読み書き手段に電子情報手段をかざす、の順とするため、電子情報手段７への入金者が、入金したい電子情報手段７の種類を現金投入前に行うため、電子情報手段７の種類を選んだ後でも、入金したい金額を追加できる。
【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
自動販売機の商品を電子情報手段を使って購入する自動販売機で、前記電子情報手段には商品を購入可能にするための必要なデータが記憶されており、利用者が購入する商品の選択と使用する電子マネーの種類を選択する選択手段と、前記電子情報手段とのデータの読み書きを行う読み書き手段とを備えた自動販売機であって、商品販売操作が第１選択手段、第２選択手段そして前記電子情報手段を前記読み書き手段にかざす順に行うもので、前記第１選択手段の操作は前記第２選択手段の操作があるまでは複数回可能に受付けられ、前記第２選択手段の操作があれば前記第１選択手段の最新の選択操作に基づき設定され、前記第２選択手段の操作は前記電子情報手段が前記読み書き手段にかざされるまでは複数回可能に受付けられ、前記電子情報手段がかざされた時は前記第２選択手段による最新の選択操作に基づき設定されて決済を行うことを特徴とする自動販売機。
【請求項２】
第１選択手段は商品を選択する商品選択手段であり、第２選択手段は電子マネーの種類を選択する電子情報選択手段であることを特徴とする請求項１に記載の自動販売機。
【請求項３】
第１選択手段は電子マネーの種類を選択する電子情報選択手段であり、第２選択手段は商品を選択する商品選択手段であることを特徴とする請求項１に記載の自動販売機。
【請求項４】
現金を入金するための入金手段による入金、電子情報選択手段による電子情報選択、読み書き手段に電子情報手段をかざす順で、現金を電子情報手段に入金できることを特徴とする請求項１から３のいずれか一項に記載の自動販売機。
【請求項５】
電子情報選択手段による電子情報選択、現金を入金するための入金手段による入金、読み書き手段に電子情報手段をかざす順で、現金を電子情報手段に入金できることを特徴とする請求項１から４のいずれか一項に記載の自動販売機。
【手続補正２】
【補正対象書類名】明細書
【補正対象項目名】０００６
【補正方法】変更
【補正の内容】
【０００６】
上記従来の課題を解決するために、本発明の自動販売機は、自動販売機の商品を電子情報手段を使って購入する自動販売機で、前記電子情報手段には商品を購入可能にするための必要なデータが記憶されており、利用者が購入する商品の選択と使用する電子マネーの種類を選択する選択手段と、前記電子情報手段とのデータの読み書きを行う読み書き手段とを備えた自動販売機であって、商品販売操作が第１選択手段、第２選択手段そして前記電子情報手段を前記読み書き手段にかざす順に行うもので、前記第１選択手段の操作は前記第２選択手段の操作があるまでは複数回可能に受付けられ、前記第２選択手段の操作があれば前記第１選択手段の最新の選択操作に基づき設定され、前記第２選択手段の操作は前記電子情報手段が前記読み書き手段にかざされるまでは複数回可能に受付けられ、前記電子情報手段がかざされた時は前記第２選択手段による最新の選択操作に基づき設定されて決済を行うので、利用者が商品購入の際、選択手段によって設定の選びなおしができるものである。
【手続補正３】
【補正対象書類名】明細書
【補正対象項目名】０００７
【補正方法】変更
【補正の内容】
【０００７】
本発明の自動販売機は、第２選択手段の操作までは第１選択手段による操作設定の選びなおしができ、電子情報手段のかざし動作までは第２選択手段による操作設定の選びなおしができるものであり、自動販売機における販促向上につながる。
【手続補正４】
【補正対象書類名】明細書
【補正対象項目名】０００８
【補正方法】変更
【補正の内容】
【０００８】
請求項１に記載の発明は、自動販売機の商品を電子情報手段を使って購入する自動販売機で、前記電子情報手段には商品を購入可能にするための必要なデータが記憶されており、利用者が購入する商品の選択と使用する電子マネーの種類を選択する選択手段と、前記電子情報手段とのデータの読み書きを行う読み書き手段とを備えた自動販売機であって、商品販売操作が第１選択手段、第２選択手段そして前記電子情報手段を前記読み書き手段にかざす順に行うもので、前記第１選択手段の操作は前記第２選択手段の操作があるまでは複数回可能に受付けられ、前記第２選択手段の操作があれば前記第１選択手段の最新の選択操作に基づき設定され、前記第２選択手段の操作は前記電子情報手段が前記読み書き手段にかざされるまでは複数回可能に受付けられ、前記電子情報手段がかざされた時は前記第２選択手段による最新の選択操作に基づき設定されて決済を行うことにより、購入する商品と電子マネーの種類の選びなおしができる。
【手続補正５】
【補正対象書類名】明細書
【補正対象項目名】０００９
【補正方法】変更
【補正の内容】
【０００９】
請求項２に記載の発明は、請求項１に記載の発明にさらに、第１選択手段は商品を選択する商品選択手段であり、第２選択手段は電子マネーの種類を選択する電子情報選択手段であり、商品の選びなおしと電子マネー種類の再選択をすることができる。
【手続補正６】
【補正対象書類名】明細書
【補正対象項目名】００１１
【補正方法】変更
【補正の内容】
【００１１】
請求項３に記載の発明は、請求項１に記載の発明にさらに、第１選択手段は電子マネーの種類を選択する電子情報選択手段であり、第２選択手段は商品を選択する商品選択手段であり、商品の選びなおしと電子マネー種類の再選択をすることができる。
請求項４に記載の発明は、請求項１から３のいずれか一項に記載の発明において、現金を入金するための入金手段による入金、電子情報選択手段による電子情報選択、読み書き手段に電子情報手段をかざす、の順とするため、電子情報手段７への入金者が、入金したい電子情報手段７の種類を精算前に選択するため、電子情報手段の種類の再選択ができる。
【手続補正７】
【補正対象書類名】明細書
【補正対象項目名】００１２
【補正方法】変更
【補正の内容】
【００１２】
請求項５に記載の発明は、請求項１から４のいずれか一項に記載の発明において、電子情報選択手段による電子情報選択、現金を入金するための入金手段による入金、読み書き手段に電子情報手段をかざす、の順とするため、電子情報手段７への入金者が、入金したい電子情報手段７の種類を現金投入前に行うため、電子情報手段７の種類を選んだ後でも、入金したい金額を追加できる。